(57)【要約】【課題】水まわり器具改修の際、改修階の床厚内のみで給水管位置を変更する際の配管接続部に漏水の無い、早く簡単にできる給水管接続方法を提供することにある。【解決手段】床内部に埋設されている、既設管周囲の床材を除去して該既設管を露出させ、露出した既設管を床内の所定の高さで切断し、該既設管端部の外周をダイスによりネジ切りし、新規立ち上げ位置までの長さを有する横引き配管を継手により接続し、新規立ち上げ管を前記横引き配管に継手を介して接続することにより、漏水の無い、早く簡単にできる給水管接続方法を提供する。【選択図】  図１
2004340246.tif 000002
【特許請求の範囲】
【請求項１】
床内部に埋設されている既設管の立ち上がり位置を改修により変更する施工方法であって、
前記既設管周囲の床材を除去して該既設管を露出させ、露出した既設管を床内の所定の高さで切断し、該既設管端部の外周にダイスによりネジを形成し、新規立ち上げ位置までの長さを有する横引き配管を継手により接続し、新規立ち上げ管を前記横引き配管に継手を介して接続する管の施工方法において、
前記既設管端部外周のダイスによるネジ形成が、床内部で行われることを特徴とする管の施工方法。
【請求項２】
請求項１記載の既設管端部の外周のダイスによるネジ切りにおいて、ダイスが少なくとも前記床上面から前記既設管端部までの深さより長い持ち出し部と、該持ち出しに部に取り付けられ前記既設管内に挿入されるガイド部とを備えることを特徴とする管の施工方法。
【請求項３】
和風便器から洋風便器への改修方法であって、床内部に埋設されている和風便器への既設給水管の床材を除去して該既設給水管を露出させ、露出した既設給水管を床内の所定の高さで切断し、新規立ち上げ位置までの長さを有する横引き配管を継手により接続し、新規立ち上げ管を前記横引き配管に継手を介して接続して、洋風便器の新規給水管とする改修方法において、
前記既設給水管端部の外周を床内部においてダイスによりネジ切りし、前記横引き配管を前記継手により接続したことを特徴とする洋風便器への改修方法。
【発明の詳細な説明】
【０００１】
【発明の属する技術分野】
本発明は、水まわり改修の際、既設給水管や排水管等の管の位置を変更する管の施工方法、特に和風便器から洋風便器への改修の際の管の施工方法に関する。
【０００２】
【従来の技術】
従来、階上に設置されたトイレ室等の衛生設備室（以下「トイレ」と略す）の改修を行う際、便器・手洗器等の住設器具に洗浄水を供給する給水管の接続は、図８に示すように行っていた。
即ち、改修するトイレの床下、一般には下階の天井内にある既設給水管の接続継手１０３部分から既設給水管１を取り外し、スラブ１０２における、新たに器具を設置する位置の給水位置に、給水管を貫通させる穴１０１を開けなおし、穴１０１の位置に新設する配管の位置を変える作業を行なう。
【０００３】
しかし、この方法は床下、つまり下階の天井内での作業を伴うため、下階の天井を一旦壊し、作業完了後に新たに取り付けるといった面倒な作業が必要であり、高い位置で作業を行うため、作業性も悪かった。また、下階で作業を行う必要があり、施工階だけでなく、下階の使用も一次中断せざるを得なかった。特に、マンション等の集合住宅では、改修する世帯とは別の世帯である下階の使用を中断させることになり、改修の大きな障害となっていた。
【０００４】
また、下階の天井内作業を省く為に、改修する階のトイレの床上で既設配管をやり変えるという方法も考えられるが、床上に給水管が露出していると、見栄えが悪いと共に、新たに設置される便器の外周部（はかま部分）に当たり、便器の設置が出来ないという問題がある。
【０００５】
かかる問題を解決するため、近年、図６に示すような、改修する床面の一部を除去して配管スペースを形成し、そのスペース内で既設給水管との接続、偏芯、新設の給水管との接続を行うという接続構造、接続方法が採用されている。
このような接続構造は、一般に床下から立ち上がる既設給水管１の端部に偏芯用の給水管継手４２を接続し、この給水管継手の下流側に偏芯用直管４３を接続し、この偏芯用直管の下流側に新設給水管６を接続している。
【０００６】
図６の構造においては、既設給水管は床下から立上がるため、既設給水管端部の接続部下部の配管周囲は床材で固定された状態である。さらに、床材で固定された配管に対して床内部で配管にネジを切ることは通常困難であり、袋ナット４５・４６による接続方法が採用されている。
袋ナット４５・４６は止水にゴムパッキンを使う構造であるため、止水性能はネジ接続に用いるシールテープやシール材に比べて格段に弱い。
このような事情を考慮して本出願人は、先に給水管を接続するにあたり、図７に示すような、給水管継手４２全体を蔽うことが可能な容器５１を固定して、該容器に樹脂５２を流し込み給水管継手４２を水密状に被覆して、床埋め込み部に万が一にも漏水の無い接続方法を開示している。（特許文献１参照）
【０００７】
【特許文献１】
特開２００２−８９７４９号公報
【発明が解決しようとする課題】
上記特許文献に記載されるているような方法により、より信頼性の高い改修方法が提供できたが、一方、ガラスマットの巻き方や樹脂の調合には専門的な技術知識を要する上、樹脂の養生時間も必要となる課題がある。
本発明は、上記課題を解決するためになされたもので、階上での給水管改修方法において、早く簡単にできる作業を提供することを目的とする。
【０００８】
【課題を解決するための手段】
【０００９】
上記目的を達成するために本発明は、床内部に埋設されている既設管の立ち上がり位置を改修により変更する施工方法であって、前記既設管周囲の床材を除去して該既設管を露出させ、露出した既設管を床内の所定の高さで切断し、該既設管端部の外周にダイスによりネジを形成し、新規立ち上げ位置までの長さを有する横引き配管を継手により接続し、新規立ち上げ管を前記横引き配管に継手を介して接続する管の施工方法において、前記既設管端部外周のダイスによるネジ形成が、床内部で行われることを特徴とする。
本発明によれば、床内の既設管端部に継手をネジ結合して配管を接続するため、耐久性が保証でき、その上、ガラスマットや樹脂で補強しなくて良いので、配管設備工であれば誰でも早く簡単に作業できる。また、養生時間も必要ない。
【００１０】
本発明の好ましい態様として、既設管端部の外周のダイスによるネジ切りにおいて、ダイスが少なくとも前記床上面から前記既設管端部までの深さより長い持ち出し部と、該持ち出しに取り付けられ前記既設管内に挿入されるガイド部とを備えることを特徴とする。
本発明によれば、既設給水管端部を新設埋設配管が床内部で横引できる寸法で切断した後、ダイスに装着した持ち出し部によりハンドルを床上方の障害の無い位置に取りだし、回転させることによりダイスでネジをきる。またダイス先端に装着したガイド部を既設の給水管内面に挿入することにより、ぶれの無い肉厚の均一良質なネジを既設給水管外面に形成できる。
このネジを利用して床内部で横引き配管して新規位置に立ち上げる。従ってガラスマットや樹脂で補強しなくて良いので、配管設備工であれば誰でも早く簡単に作業できる。
【００１１】
また、この管の施工方法を用いることによって、和風便器から洋風便器への改修がより容易にできる。
【００１２】
【発明の実施の形態】
以下に図面を参照して本発明をより具体的に説明する。
本発明は、階上で行う床内部の管の施工方法を提供するもので、床内部に一部埋設された既設給水管周囲の床材を除去して既設給水管の端部を露出させ、露出した給水管を所定の高さで切断して、ネジ切り後、ネジ接合の上床内部で横引配管して給水管を新規位置に立ち上げるものである。
なお、ここに挙げるものは上記各発明の実施の形態の一例であり、本発明の内容がこれに限定されるものではない。
【００１３】
図１から図５を用いて、本発明による好適な新設配管の立ち上げ例を説明する。
床仕上材７、シンダーコンクリート８、コンクリートスラブ９等からなる床１０に埋設された既設給水管１の周辺床材を、継手の給水エルボ２、偏芯用直管３（横引き配管）、継手の給水エルボ４が取り付けできる深さまで除去し、さらに、新規立ち上げ位置までの床材を除去する。
次に給水エルボ２、偏芯用直管３、給水エルボ４で構成する新設埋設配管５が、少なくともが床仕上げ材７より下面に来る高さで、既設給水管１を切断する。切断はパイプカッターやグラインダー１５などで行う。
符号３０は切断位置（高さ）を示している。
【００１４】
次いで図２に示すように、切断した既設給水管１の端部にダイス工具２０でネジ１１を形成する。
そして、図３に示すように、この既設給水管端部に形成されたネジ１１に給水エルボ２を螺合し、更に両端にネジを形成した偏芯用直管３で所定位置まで偏芯させ、給水エルボ４を介して新設給水管６を螺合する。
すべての配管を完了後、床材を除去した部分をモルタル等で埋め戻す。
【００１５】
ここで、図２についてさらに詳述する。既設管１を切断後、既設管端部の外周にネジ１１を形成する際に、ダイス２３の内にあってダイス２３から突出し持ち出し部２２の先端に取り付けたガイド部２４を既設管１の中に挿入し、ダイス２３を既設管端部に当接させる。その後、回転力を加えるハンドル２１を回転させ、既設管端部にネジ１１を形成する。
【００１６】
図４にダイス工具２０を分解した図を示す。
ハンドル２１の一端には持ち出し部分保持部２１ａがあり、保持部２１ａには内面が六角形の挿入口２１ｂが形成されている。
持ち出し部２２は床の上面から既設管端部までの深さより長く、その一端には保持部２１の挿入口２１ｂに挿入される外周が六角形の突部２２ａがあり、他端には、雄ねじ部２２ｂが形成されている。この雄ねじ部２２ｂには、ダイス２３が螺合される。
また、ダイス２３より長いガイド部２４の一端には持ち出し部２２の雌ねじ２２ｃに螺合される雄ねじ２４ａが形成されている。
ガイド部２４は、外径を既設配管１の内径と概同一か若干小さくすることによって、ハンドル２１に加える力がダイスに対し斜めにかかっても、ガイド部分２４の外周が既設配管１の内面に接触することにより、ネジを既設配管の外面に沿って形成できる。また本図ではガイド部分２４を取り外し可能に設計したので、既設配管の内径に合わせて取り替えでき同一工具で多種の配管にねじ切りできる。
【００１７】
上記の構成とすることで、所定の寸法に切断した既設給水管１の先端にガイド部２４を挿入し、ダイス２３を既設給水管の先端にセットした状態で、ハンドル２１が床の側壁２５に干渉することなくネジ切りができる。
【００１８】
ここで、本図では汎用工具のハンドル２１とダイス２３に、持ち出し部２２とガイド部２４を装着しているが工具全体を一体的に作成しても良い。
【００１９】
図１をさらに詳述する。床材の除去は床強度の低下を防ぐ点からも、施工時間の短縮の点からも最小限にすることが求められる。そこで切断位置が３０のように周辺床材よりも低くなり通常のグラインダー１５では水平切断ができないことがある。その際は電気ドリル１６の先端に既設給水管１の内径よりも直径の小さい刃先を有するカット刃物１７を装着する。カット刃物１７は、刃先の部分と心棒の部分を別個に作り組み立てると、ガタによる位置ずれや固定に使用するネジが細いことにより耐久性に劣るので、金属材料からの切り出し切削により一体的に製作すると更に良い。既設給水管１の内側の切断位置３０に刃先をあてがい電気ドリルの回転により既設給水管を切断する。そのときカット刃物１７の適切な位置に刃物ガイド１８を固定し、既設給水管１の先端に押し当てることにより安定した位置で回転を与えることができる。本図ではガイドストッパー１９で位置決めしたが、刃物ガイド１８はカット刃物１７の任意の位置に小ねじ等（図示せず）で固定してもよい。
【００２０】
図５は本発明によって、階上での施工で和風便器から洋風便器に改修した例を示している。既設給水管の床内部での立ち上げ位置変更が長い時間を要せずできるので、改修時間の短縮が図れる。
【００２１】
【発明の効果】
本発明によれば、階上での給水管接続方法であって、床内部に一部埋設された既設給水管周囲の床材を除去して既設給水管の端部を露出させ、露出した給水管端部を所定の寸法で切断ネジ切り後、ネジ接合の上床内部で横引配管して新規位置に立ち上げたので、階上だけの作業で給水管接続部の漏水の心配が無くなる。
【図面の簡単な説明】
【図１】本発明の配管接続を示す断面図である。
【図２】本発明のねじ切り方法を示す面図である。
【図３】本発明で用いるダイスを示す図である。
【図４】本発明の露出した給水管端部を所定の寸法で切断する１例
【図５】本発明による改修の例を示す図である。
【図６】従来の接続方法を示す断面図である。
【図７】従来の接続方法で継ぎ手部分の樹脂補強を示す図面である。
【図８】従来の階下から施工する示す断面図である。
【符号の説明】
１…既設給水管、５…新設埋設配管、６…新設給水管、１０…床、
２０…ダイス工具
２１…ハンドル、２２…持ち出し部、２３…ダイス、２４…ガイド部、
１５…グラインダー、１６…電気ドリル、１７…カット刃物、
１８…刃物ガイド、１９…ガイドストッパー、
２５…床側壁、３０…既設給水管切断位置、
４２・４４…給水管継手、４３…横引き配管、
５１…容器、５２…樹脂、
１０１…穴、１０２…スラブ、１０３…既設給水管の接続継手
【図１】
2004340246.tif 000003
【図２】
2004340246.tif 000004
【図３】
2004340246.tif 000005
【図４】
2004340246.tif 000006
【図５】
2004340246.tif 000007
【図６】
2004340246.tif 000008
【図７】
2004340246.tif 000009
【図８】
2004340246.tif 000010